(57)【要約】  【課題】、仮囲い板の板状部材の表面に、殆んど突起物がない状態で照明式表示装置を設けるとき、発光装置の前面のパネルを簡単な操作で密着させ、雨水やゴミ等が溜まりにくくなるのを防止できるようにする。  【解決手段】工事現場を囲繞する仮囲い板の採光パネルであって、板状部材に取り付けられた発光装置に押圧手段を設け、当該押圧手段で透光板材を窓に密着するように押圧するようにした。【選択図】図２
2007291628.tif 000002
【特許請求の範囲】
【請求項１】
板状部材に開口された窓と、板状部材の裏面側の窓部分に対面して設けられた発光装置と、発光装置の発光部と窓との間に介在させた透光板材とを備え、工事現場を囲繞する仮囲い板の採光パネルであって、板状部材に取り付けられた発光装置に押圧手段を設け、当該押圧手段で透光板材を窓に密着するように押圧した事を特徴とする仮囲い板の採光パネル。
【請求項２】
発光装置の上端寄り部分に通気孔を穿設し、発光装置と窓との間に介在させた透光板材の上端部と、透光板材の上端部に対面する発光装置の上端部とにわたってカバー部材を設け、発光装置内の熱気を通気孔から外部に放出する通気路をラビリンス状に設けたことを特徴とする請求項１に記載の仮囲い板の採光パネル。
【請求項３】
カバー部材が設けられる透光板材の窓側の上端部を、透光板材の窓側の上端部にカバー部材が嵌着された時に透光板材の窓側面と略面一以下となるように薄肉に形成したことを特徴とする仮囲い板の採光パネル。
【請求項４】
押圧手段が、発光装置の外面から操作可能な螺子部材と、当該螺子部材の先端と透光板材との間に介在させた押圧部材とで構成したことを特徴とする請求項１に記載の仮囲い板の採光パネル。
【請求項５】
板状部材の側縁部が互いに嵌合可能な形状に曲成され、当該側縁部に発光装置を固定したことを特徴とする請求項１に記載の仮囲い板の採光パネル。
【発明の詳細な説明】
【技術分野】
【０００１】
本発明は工事現場等を囲む仮囲い板の板状部材の内面に照明式表示装置を具備し、工事現場の周囲を照らすようにした採光用パネルに関する。
【背景技術】
【０００２】
工事現場等においては、周囲に対する安全性や景観上の問題、或は、工事音が周囲へ放散されることを防ぐ等を目的として鋼板などで形成された背の高い仮囲い板で工事現場を施工期間中、囲うことが行われている。
【０００３】
上記のように背の高い仮囲い板で工事現場が囲われると、夜間その周囲が暗くなり安全上に問題が生じる。
こうした夜間に暗がりが発生しないように囲い同士の繋ぎ目部分に発光装置の取付金具を取り付け、この取り付け金具に発光装置を固定し、発光装置からの光で周囲に照射するようにしたものがある。
【０００４】
しかし、こうしたものでは板状部材の表面から発光装置が大きく突出してしまうことから見場が悪いだけで無く、邪魔になるうえ、振動等で取付金具が緩むと発光装置が脱落してしまうという問題があった。
そこで、板状部材に窓を穿設し、この窓の工事現場側（内面側）に発光装置を固定することにより上記したような発光装置が板状部材の表面から突出するのを防止するようにしたものが提案されている。
【特許文献１】特開平１０−１０２７８７号公報
【特許文献２】特開２００５−３３６９６２号公報
【発明の開示】
【発明が解決しようとする課題】
【０００５】
上記の板状部材に窓を穿設し、この窓の工事現場側（内面側）に発光装置を固定するようにしたものでは、窓と発光装置の例えば前面とを密着させるのが難しく、隙間が生じると雨水やゴミ等が溜まりやすくなるという問題があった。
そこで、こうした問題に鑑み、仮囲い板の板状部材の表面に、殆んど突起物がない状態で発光装置を設けるとき、発光装置の前面のパネルを簡単な操作で密着させ、雨水やゴミ等が溜まりにくくなるのを防止できるようにすることを目的とするものである。
【課題を解決するための手段】
【０００６】
上記目的を達成するために本発明にかかる仮囲い板の採光用パネルは、板状部材に開口された窓と、板状部材の裏面側の窓部分に対面して設けられた発光装置と、発光装置の発光部と窓との間に介在させた透光板材とを備え、工事現場を囲繞する仮囲い板の採光パネルであって、板状部材に取り付けられた発光装置に押圧手段を設け、当該押圧手段で透光板材を窓に密着するように押圧したことを最も主要な特徴とするものである。
【０００７】
また、本発明にかかる仮囲い板の採光パネルは、発光装置の上端寄り部分に通気孔を穿設し、発光装置と窓との間に介在させた透光板材の上端部と、透光板材の上端部に対面する発光装置の上端部とにわたってカバー部材を設け、発光装置内の熱気を通気孔から外部に放出する通気路をラビリンス状に設けたことや、カバー部材が設けられる透光板材の窓側の上端部を、透光板材の窓側の上端部にカバー部材が嵌着された時に透光板材の窓側面と略面一以下となるように薄肉に形成したことも特徴とするものである。
【０００８】
更に、本発明にかかる仮囲い板の採光パネルでは、押圧手段が、発光装置の外面から操作可能な螺子部材と、当該螺子部材の先端と透光板材との間に介在させた押圧部材とで構成したことや、板状部材の側縁部が互いに嵌合可能な形状に曲成され、当該側縁部に発光装置を固定したことも特徴とするものである。
【発明の効果】
【０００９】
本発明によれば、仮囲い板の板状部材に開口された窓に対面して発光装置を設け、発光装置に形成された押圧手段により、発光装置の前面に位置する透光板材が窓に密着するように押圧されるので、照明式表示装置が仮囲い板の板状部材の表面から突出しない状態で設けたとき、発光装置の前面の透光板材を簡単に窓に密着させることができる。
これにより、発光装置の前面の透光板材と窓との間に隙間から雨水やゴミ等が浸入するのを確実に防止して発光装置の耐久性を向上させることができる。
【００１０】
また、発光装置の上端寄り部分に通気孔を穿設し、発光装置と窓との間に介在させた透光板材の上端部と、透光板材の上端部に対面する発光装置の上端部とにわたってカバー部材を設け、発光装置内の熱気を通気孔から外部に放出する通気路をラビリンス状に設けたものでは、上記効果に加えて、外気温の寒暖や発光装置の点灯・消灯による装置内の空気の膨張・収縮時に雨水やゴミ等が発光装置内へ浸入するのを防止することができる。
【００１１】
更に、カバー部材が取り付けられる透光板材の窓側の上端部を、透光板材の窓側の上端部にカバー部材が嵌着された時に透光板材の窓側面と略面一以下となるように薄肉に形成すると、発光装置の前面の透光板材と窓との密着性を更に向上させることができる利点がある。
【００１２】
加えて、押圧手段が、発光装置の外面から操作可能な螺子部材と、当該螺子部材の先端と透光部材との間に介在させた押圧部材とで構成すると、板状部材に発光装置を取り付けて採光パネルを組み立てるときは勿論のこと、採光パネルを工事現場に設置した後、工事現場等の振動等で発光装置の前面の透光板材と窓との間に隙間が生じたときでも透光板材と窓との密着性を簡単に調整することができる利点がある。
【００１３】
因みに、板状部材の側縁部が互いに嵌合可能な形状に曲成され、当該側縁部に発光装置を固定するようにしたものでは、当該側縁部の剛性が高く、この剛性の高い部分に固定された発光装置はしっかりと固定することができ、発光装置の前面の透光板材と窓との間に隙間が生じにくくすることができる利点もある。
【発明を実施するための最良の形態】
【００１４】
以下、本発明にかかる仮囲い板の採光用パネルの最も好ましい実施の形態を図面に基づいて説明する。
図１は仮囲い板の採光用パネルの斜視図、図２は採光用パネルを裏面から見た状態の分解斜視図、図３は採光用パネルの横断平面図、図４は採光用パネルにおける発光装置の上端寄り部分の縦断側面図であって、図中符号１は採光用パネルを全体的に示す。
この仮囲い板の採光用パネル１は、工事現場を囲繞するために複数並べて立てかけられた仮囲い板の少なくとも一部を形成するもので、板状部材２に開口された窓３と、板状部材２の裏面４側の窓３部分に対面して設けられた発光装置５と、発光装置５と窓３との間に介在させた透光板材とを備えてなり、発光装置には押圧手段を設けてある。
【００１５】
上記採光用パネル１の板状部材２は、鋼鈑で縦長の矩形に形成され、中間高さ位置には四角な窓３が穿設されるとともに、左右の側縁部分７・８はクランク状に折り曲げられて互いに嵌合する嵌合連結部９・１０が形成され、端縁部１１・１２は板状部材２の裏面４に近づく方向に折り曲げてある。
斯くして左右の側縁部分１１・１２はクランク状に折り曲げられた嵌合連結部９・１０とその端縁部１１・１２が板状部材２の裏面４に近づく方向に折り曲げられることにより、当該左右の側縁部分７・８の剛性が高められ、この剛性が高められた左右の側縁部分７・８に後述する発光装置５が取り付けられている。
【００１６】
発光装置５は図３に示すように、蛍光灯１３や反射板１４等からなる発光部１５を内装したケーシング１６と、ケーシング１６の前面側（窓に対面する側）に透光性を有する乳白色の合成樹脂製の透光ボード１７とこれより薄く、且つ後述のカバー部材２１の板厚より厚い保護用の透明ボード１８とからなる透光板材６と、この透光板材６を窓３側に押圧する押圧手段２０と、透光板材６の上端部分を被うカバー部材（図２及び図４参照）２１とを備えてなる。
上記透光板材６は窓３よりも大きく、且つ板状部材６の左右の側縁部１１・１２間に収まる幅に形成されるとともに、透光板材６の透光ボード１７は透明ボード１８より上下方向を長く形成してある。
カバー部材２１は透光板材６の透明ボード１８の板厚と略同じ厚さか。僅かに薄い板厚の鋼材で下向きに開口する略コ字型に形成された部材を上記透光板材６と同じ幅の長さにして形成したものである。
【００１７】
ケーシング１６は底の浅い箱型に形成され、左右の側面部分には上記板状部材２の側縁部分に取り付けるための取り付け部２２が板状に延出されており、ケーシング１６の上端部は上方に折り曲げた垂直面２３が形成された後、端部が板状部材の裏面から遠ざかる方向で水平に折り曲げられてカバー部材２１の嵌合部２４が形成されている。
そして、ケーシング１６を板状部材の左右の側縁部７・８に取り付ける取り付け部２２には図２に示すように鍵穴形の取り付け孔２５が上下２箇所に穿設されており、板状部材２の左右の側縁部７・８に植設された固定用ビス２６を取り付け孔２５に嵌合させることにより、ケーシング１６が板状部材２に取り付けられるようになっている（図２、図３参照）。
【００１８】
また、上記ケーシング１６の上端の垂直面２３部分には発光装置５内の熱気を外部に放出する通気孔２７が設けられている。
上記押圧手段２０は図２、図３に示すように、ケーシング１６内の左右両側辺部分に平面視コ字型の押圧部材２８をその開口部が対面する状態で前後に移動可能に設けるとともに、ケーシング１６の底部を貫通して設けた押圧操作用ビス（螺子部材）２９を操作することにより、外部から押圧部材２８を押圧操作可能にしてある。
尚、図３中符号３０は蛍光灯１３の外周に嵌着された筒状の散光部材である。
【００１９】
上記のように形成された仮囲い板の採光用パネル１の板状部材に発光装置を取り付ける手順を次に説明する。
先ず、ケーシング１６の左右の側面部分に形成された取り付け部２２の鍵穴形の取り付け孔２５を、板状部材２の左右の側縁部７・８に植設された固定用ビス２６に嵌合させ、固定用ビス２６を締め込んでケーシング１６を板状部材２に確りと固定する。
次に、板状部材２の裏面４とケーシング１６との間に透光板材６を挿入し、当該透光板材６の上端とケーシング１６の上端部分の嵌合部２４とにわたってカバー部材２１を嵌着する。
【００２０】
しかる後、ケーシング１６の底面の外方から押圧操作用ビス２９を押込み側に回転操作すると、この押圧操作用ビス２９の先端が押圧部材２８を介して透光板材６を窓３側に押し付けるので、透光板材６は窓３に密着し、採光用パネルの板状部材への発光装置の取り付けが完了する。
斯くして発光装置が採光用パネル１の板状部材２に取り付けられると、図４に示すように透光板材６の上端とケーシング１６の上端部分の嵌合部２４とにわたって嵌着されたカバー部材２１内に、ケーシング１６の内部と外部とを、カバー部材２１で覆われた通気孔２７を介して連通する通気路３１がラビリンス（迷路）状に形成される。従ってこの通気路３１によりケーシング１６の内部と外部との連通を確保しながらも雨水やゴミがケーシング１６内に浸入するのを防止することができる。
【００２１】
尚、上記実施の形態では、透光性を有する乳白色の合成樹脂製の透光ボード１７とこれより薄く、且つ後述のカバー部材２１の板厚より厚い保護用の透明ボード１８とからなる透光板材６と、保護用の透明ボード１８とで透光板材６を形成するようにしてあるが、こうしたものに限られず１枚の透光性を有する乳白色の合成樹脂製の透光ボード１７で透光板材６を形成することも可能である。
また、発光装置５の蛍光灯１３や反射板１４等からなる発光部１５をその他の発光手段、例えば面状発光体にすることができるのはいうまでもないことである。
【図面の簡単な説明】
【００２２】
【図１】は本発明にかかる採光用パネルの斜視図である。
【図２】は本発明にかかる採光用パネルを裏面から見た上体の分解斜視図である。
【図３】は本発明にかかる採光用パネルの横断平面図である。
【図４】は本発明にかかる採光用パネルにおける発光装置の上端寄り部分の縦断側面図で        ある。
【符号の説明】
【００２３】
１・・・採光パネル
２・・・板状部材
３・・・窓
５・・・発光装置
６・・・透光板材
７・８・・・側縁部
１５・・・発光部
２０・・・押圧手段
２１・・・カバー部材
２７・・・通気孔
２８・・・押圧部材
２９・・・押圧操作用ビス（螺子部材）
３１・・・通気路
【図１】
2007291628.tif 000003
【図２】
2007291628.tif 000004
【図３】
2007291628.tif 000005
【図４】
2007291628.tif 000006